(57)【要約】      （修正有）【課題】ビークル内の構造部材から水分を捕獲するための装置及び方法を提供する。【解決手段】ビークル内の構造部材（１２０）における水分（１３０）を捕獲するための装置及び方法。装置は、構造部材（１２０）の外部にスナップ嵌合し得る可撓性トレイを含む。一旦取り付けられると、可撓性トレイは、構造部材（１２０）から水分（１３０）を捕獲することができる。ダイバータが、可撓性トレイに取り付けられる。ダイバータは、回収された水分（１３０）を構造部材（１２０）から離れるようにその流れを変える。【選択図】図３
2019108115.tif 000002
【特許請求の範囲】
【請求項１】
構造部材（１２０）から水分（１３０）を捕獲するための装置（１０）であって、
前記構造部材（１２０）の外部にスナップ嵌合し、前記構造部材（１２０）から前記水分（１３０）を回収するように構成された可撓性トレイ（２０）、及び
前記可撓性トレイ（２０）に連結され、且つ前記可撓性トレイ（２０）によって回収された前記水分（１３０）を前記構造部材（１２０）から離れるようにその流れを変えるよう構成されたダイバータ（３０）
を備えている装置（１０）。
【請求項２】
前記可撓性トレイ（２０）及び前記ダイバータ（３０）が、一体的に形成された単体構造を含み、前記可撓性トレイ（２０）及び前記ダイバータ（３０）が、それぞれ、非吸収材料から製作されている、請求項１に記載の装置（１０）。
【請求項３】
前記可撓性トレイ（２０）及び前記ダイバータ（３０）が、それぞれ、長手方向軸（５０）及び長手方向軸（５１）を含み、前記可撓性トレイ（２０）の前記長手方向軸（５０）が、前記ダイバータ（３０）の前記長手方向軸（５１）に対して実質的に垂直である、請求項１又は２に記載の装置（１０）。
【請求項４】
前記可撓性トレイ（２０）が、前記構造部材（１２０）の両側に沿って延在する側部（２１）、前記側部（２１）間で延在し且つ前記構造部材（１２０）の下方に捕獲領域（２３）を形成する底部（２２）、及び前記可撓性トレイ（２０）の前記底部（２２）における排出口（２４）であって、前記排出口（２４）において前記ダイバータ（３０）が前記可撓性トレイ（２０）に連結されている、排出口（２４）を備えている、請求項１から３のいずれか一項に記載の装置（１０）。
【請求項５】
前記可撓性トレイ（２０）の開口（５９）の幅（５２）が、前記可撓性トレイ（２０）の前記底部（２２）の幅（５３）より小さい状態で、前記可撓性トレイ（２０）の前記側部（２１）が内側に角度付けられている、請求項１から４のいずれか一項に記載の装置（１０）。
【請求項６】
前記ダイバータ（３０）が、前記可撓性トレイ（２０）の排出口（２４）に取り付けられた第１の端部（３１）と、前記可撓性トレイ（２０）から離間され且つ前記可撓性トレイ（２０）の垂直下方にある第２の端部（３２）とを有するチューブである、請求項１から５のいずれか一項に記載の装置（１０）。
【請求項７】
構造部材（１２０）から水分（１３０）を捕獲するための方法であって、
前記可撓性トレイ（２０）の両側の側部（２１）を離すことにより、可撓性トレイ（２０）を広げることと、
前記可撓性トレイ（２０）が広げられている間、前記可撓性トレイ（２０）の前記側部（２１）が前記構造部材（１２０）の両側（２１）にあり、前記可撓性トレイ（２０）の底部（２２）が前記構造部材（１２０）の前記底部（２２）に沿う状態で、前記可撓性トレイ（２０）を前記構造部材（１２０）の上に位置付けすることと、
前記側部（２１）を解放して、前記側部（２１）を通して圧縮力を前記構造部材（１２０）に対して加え、前記可撓性トレイ（２０）を前記構造部材（１２０）上に固定することと
を含む方法。
【請求項８】
前記可撓性トレイ（２０）から離れ且つ前記可撓性トレイ（２０）の前記底部（２２）の垂直下にあるように、ダイバータ（３０）の端部を位置付けることであって、前記ダイバータ（３０）が、前記可撓性トレイ（２０）に取り付けられる、ダイバータ（３０）の端部を位置付けることと、前記可撓性トレイ（２０）を前記構造部材（１２０）に固定し、前記可撓性トレイ（２０）の前記底部（２２）における排出口（２４）を前記底部（２２）の残部の垂直下に位置付けすることとをさらに含む、請求項７に記載の方法。
【請求項９】
前記可撓性トレイ（２０）の前記両側の側部（２１）を前記構造部材（１２０）における絶縁層（１１３）に対して接触させ、前記可撓性トレイ（２０）の前記両側の側部（２１）を前記構造部材（１２０）から離間させることをさらに含む、請求項７又は８に記載の方法。
【請求項１０】
前記可撓性トレイ（２０）の前記底部（２２）において前記水分（１３０）を前記構造部材（１２０）から回収することと、
前記水分（１３０）を前記可撓性トレイ（２０）の前記底部（２２）から前記可撓性トレイ（２０）に取り付けられたダイバータ（３０）に移すことと、
前記ダイバータ（３０）に沿って、且つ前記可撓性トレイ（２０）から離れるように前記水分（１３０）を移動させることと
をさらに含む、請求項７から９のいずれか一項に記載の方法。
【発明の詳細な説明】
【技術分野】
【０００１】
本開示は、概して、水分制御に関する。より具体的には、本開示は、ビークル内の構造部材から水分を捕獲するための装置及び方法に関する。
【背景技術】
【０００２】
航空機において外板は客室の壁及び天井（又は他のコンパートメント）から離間されており、間隙は少なくとも部分的に絶縁層で充填されている。絶縁層は、通常、防水材料から形成される。飛行中、湿り空気からの水分が外板に凝縮して、巡航中に凍る場合がある。降下中、この凍った水分が解けて、客室に向かって滴り落ちることがある。絶縁層は防水であるので、水分は、絶縁層に沿って流れ、ビルジに流れ込む恐れがある。しかしながら、幾つかの位置では、構造体及び／又は支持体が絶縁層を通って突出する場合がある。例えば、モニュメントや棚を最頂部で保持する構造部材は、外板における構造体から延びて、絶縁層を通り、客室に向かう。絶縁層には、あらかじめ画定された孔が設けられており、これは、構造部材が絶縁層を貫通するためのものである。孔は整列しているが、孔の内表面と構造部材との間で画定された間隙が存在し得る。水分が解けると、孔を通って滴り落ち、客室内に入る場合がある。
【０００３】
現行の１つのプラクティスは、手作業によって構造部材を材料で包み、それにより、水分を材料が吸収して、水分を空気中で再度蒸発させることである。しかしながら、水分は、材料が吸収し得るよりも量が多い場合がある。
【発明の概要】
【０００４】
本出願は、構造部材から水分を捕獲するための装置及び方法を含む。当該装置は、構造部材に取り付けられ、水分を回収する可撓性トレイを含む。可撓性トレイに取り付けられたダイバータは、水分を構造部材から離なれるようにその流れを変える。
【０００５】
一態様は、構造部材から水分を捕獲するための装置を対象としている。当該装置は、構造部材の外部にスナップ嵌合し、構造部材から水分を回収する可撓性トレイを含む。ダイバータは、可撓性トレイに連結され、可撓性トレイによって回収された水分を構造部材から離れるようにその流れを変える。
【０００６】
別の態様は、構造部材から水分を捕獲するための方法を対象としている。当該方法は、可撓性トレイの両側の側部を離すことにより、可撓性トレイを広げることを含む。可撓性トレイが広げられている間、当該方法は、可撓性トレイの側部が構造部材の両側にあり、可撓性トレイの底部が構造部材の底部に沿う状態で、可撓性トレイを構造部材の上に位置付けすることを含む。当該方法は、側部を解放して、側部を通して圧縮力を構造部材に対して加え、可撓性トレイを構造部材上に固定することを含む。
【０００７】
別の態様は、両側の側部、及び側部間で延在する底部を有するビークルを対象としている。水分捕獲装置は、水分を構造部材から捕獲する。水分捕獲装置は、構造部材にスナップ嵌合し、構造部材から水分を回収するように構成された可撓性トレイ、及び可撓性トレイに連結され、且つ可撓性トレイによって回収した水分を構造部材から離れるようにその流れを変えるよう構成されたダイバータを含む。
【図面の簡単な説明】
【０００８】
【図１】構造部材に取り付けられた装置の概略図である。
【図２】ビークルの斜視図である。
【図３】線ＩＩＩ−ＩＩＩに沿って切り取られた、図２のビークルの概略断面図である。
【図４】構造部材に取り付けられた装置の斜視図である。
【図５】トレイの斜視図である。
【図６】トレイ及びダイバータを含む装置の分解斜視図である。
【図７】ダイバータの斜視図である。
【図８Ａ】中央平面から外側に曲がっているトレイの端面図である。
【図８Ｂ】初期位置に戻った図８Ａのトレイの端部図である。
【図９Ａ】曲がっていない配向の装置のトレイの端部図である。
【図９Ｂ】外側に曲がり、構造部材の周りで延在する、図９Ａのトレイの端部図である。
【図９Ｃ】構造部材に取り付けられた、図９Ｂのトレイの端部図である。
【図１０】構造部材に取り付けられ、絶縁層の外周側に位置付けされた装置の側面図である。
【図１１】構造部材に取り付けられ、絶縁層の上に位置付けされ、絶縁層の内周側に位置付けされた装置の側面図である。
【図１２】水分を捕獲するために装置を構造部材に取り付ける方法のフロー図である。
【発明を実施するための形態】
【０００９】
本出願は、ビークル内の構造部材から水分を捕獲するための装置及び方法を対象としている。当該装置は、構造部材の外部にスナップ嵌合し得る可撓性トレイを含む。一旦取り付けられると、可撓性トレイは、構造部材から流出する水分を回収することができる。当該装置は、可撓性トレイに連結されたダイバータをさらに含む。ダイバータは、回収された水分を構造部材から離れるようにその流れを変える。
【００１０】
図１は、構造部材１２０に接続された装置１０を概略的に示す。装置１０は、構造部材１２０に接続された可撓性トレイ２０を含む。トレイ２０は、構造部材１２０から水分を回収するように成形且つ寸法形成される。ダイバータ３０は、可撓性トレイ２０に連結され、回収された水分をトレイ２０及び構造部材１２０から離なすよう移動させる。
【００１１】
当該装置１０は、様々な異なるビークル１００で使用され得る。ビークル１００の一種は、図２に示す航空機１００である。航空機１００は、ノーズ１０１、翼１０２、胴体１０３、及び尾部１０４を含む。図２は、下向きの矢印１０５を示す。この矢印は、名目上の運用プロファイルにおいて航空機１００内の水分などの物体を重力が引っ張る予測方向を示す。
【００１２】
図３は、図２の図面矢印ＩＩＩ−ＩＩＩによって示された航空機１００の断面概略図である。図３は、胴体１０３の一部を簡略的に描く。胴体１０３は、外壁１１０、床１１１、天井１１２、絶縁層１１３、及び上品なファシア壁（ｆａｓｃｉａ  ｗａｌｌ）１１４を含む。説明のために、天井１１２及び／又は上品なファシア壁１１４は、航空機の「内壁」を表す。客室１１５は、内壁の中で形成されており、座席１１６、通路、及び様々な他の乗客用構成要素を含む。構造部材１２０は、航空機１００内の種々の構成要素を支持する。構造部材１２０の一種は、外壁１１０から延在する支持梁１２０を含む。支持部材１２４は、構造部材１２０に取り付けられ、様々な構成要素を支持する。この構成要素には、荷物コンパートメント１１７、天井１１２、ダクト、装備、及びラックが含まれ得る。
【００１３】
呼吸及びその他の水源によって、水分１３０が、客室１１５内に入ったり、空気中で形成されたりする。例えば、暖かい呼気は、荷物コンパートメント１１７を通って上昇する水分１３０を含む。この暖かく湿り気のある空気の一部は、天井１１２を通って上昇する。さらに、一部の暖かい空気は、絶縁層１１３を通って上方に上昇し続け、外壁１１０と絶縁層１１３との間に空間１１８内に入る。
【００１４】
飛行中に高々度で外壁１１０が外気によって冷却されると、外壁１１０の温度は、やがて水の凍結温度未満の温度まで低下する。この冷却により、水分１３０（例えば、水）が、空間１１８内の空気から凝縮して、氷として外壁１１０の内表面で凍る。航空機１００が低高度に移動し、且つ／又は、着陸のために降下を開始したときに、温度が上昇するにつれて、氷１３０は溶け始め、水滴１３０が形成される。水滴は、空間１１８を通って、胴体１０３の底部１１９に向かって移動する。一部の水分１３０は、特に、支持部材１２４が絶縁層１１３を通って延在する絶縁層１１３内の間隙に入る。
【００１５】
装置１０は、構造部材１２０に取り付けられ、構造部材１２０から水分１３０を捕獲する。  幾つかの態様は、各飛行で約２０から１００ミリメートルの溶けた霜を捕獲することを含む。捕獲された水分１３０は、絶縁層１１３と外壁１１０との間で下方且つ外側にその流れを変え得る。回収された水分１３０は、絶縁キャップ片の中にその流れを変え、やがて、ビルジ及び機外にその流れを変え得る。装置１０は、絶縁層１１３の内周側に位置付けされてもよく、且つ／又は、絶縁層１１３の外周側に位置付けされてもよい。
【００１６】
図４は、構造部材１２０に取り付けられた装置１０を示す。特に、図４は、接続された装置１０を含み、構造部材１２０が支持部材１２４に取り付けられている。装置１０は、構造部材１２０にスナップ嵌合するように柔軟であるトレイ２０を含む。スナップ嵌合（ｓｎａｐ−ｆｉｔ）は、側部２１の可撓性によって引き起こされる。側部２１は、構造部材１２０に取り付けられるよう、強制的に引き離し、それから原形に戻すことができる。
ダイバータ３０は、トレイ２０に連結されており、捕獲された水分をトレイ２０及び構造部材１２０から離れるようにその流れを変える。
【００１７】
図５は、底部２２によって共に接続された一対の両側の側部２１を含むトレイ２０を示す。側部２１は、第１の端部２５から第２の端部２６へとトレイ２０の長さ全体にわたって延在してもよく、又は、図５に示す距離より短い距離延在してもよい。側部２１は、水分１３０を捕獲し且つ構造部材１２０にスナップ嵌合するだけの長さで底部２２から上方に延在する。両側の側部２１は、同一の形状及び／又はサイズを有してもよく、又は、異なる形状及び／又はサイズを有してもよい。側部２１は、トレイ２０に外力が加えられていない状態で互いに対して実質的に平行であり得る。２つの側部２１は、底部２２から等距離で延在し得る。さらに、２つの側部２１は、底部２２から異なる距離で延在し得る。側部２１及び底部２２は、底部２２から反対側に開口５９を有する実質的にＣ字形状のチャネル４１を画定する。実装されている間、装置１０は、構造部材１２０の一部が開口５９を通過しチャネル４１内に配置されるように、位置付けされる。次いで、トレイ２０は、以下でより詳細に説明されるように、コネクタ２８を介して構造部材１２０に連結される。
【００１８】
トレイ２０は、第１の端部２５と第２の端部２６との間で延在する細長い形状を含む。この細長い形状により、トレイ２０が、構造部材１２０の長さに沿って延在し、水分を捕獲することを可能になる。トレイ２０は、端部２５と端部２６との間で延在する長手方向軸５０を含む。
【００１９】
底部２２は、各側部２１の間で延在し、各側部２１に接続される。底部２２は、捕獲領域２３を含む。装置１０が構造部材１２０に取り付けられている場合、捕獲領域２３は、トレイ２０の残部より垂直方向下方にあり、それにより、捕獲水分がこの捕獲領域２３で回収される。図５は、第１の端部２５から第２の端部２６へと連続的垂直落下部を有する底部２２を含み、捕獲領域２３が第２の端部２６に位置付けされている。他の態様は、底部２２に沿って異なる位置に位置付けされた捕獲領域２３を含み得る。別の実施形態は、各端部２５、２６が垂直方向により高い位置のある状態で、中央領域に位置付けされた捕獲領域２３を含む。
【００２０】
水分１３０がトレイ２０から排出されてダイバータ３０に入るように、排出口２４が捕獲領域２３に位置付けされる。排出口２４は、単一の開口を含んでもよく、又は、複数の開口を含んでもよい。１つ又は複数の開口は、底部２２、側部２１の片方又は両方、或いは底部２２と側部２１の片方又は両方との組み合わせを通って延在し得る。図５は、底部２２を通って延在する単一の開口である排出口２４を含む。
【００２１】
側部２１は、トレイ２０を構造部材１２０に固定する１つ又は複数のコネクタ２８を含む。コネクタ２８は、面ファスナ（ｈｏｏｋ−ａｎｄ−ｌｏｏｐ  ｆａｓｔｎｅｒ）を含み得る。面ファスナは、共に係合するか、又は絶縁層１１３を係合させる。コネクタ２８は、さらにストラップを含み得る。ストラップは、側部２１のうちの片方に取り付けられ、構造部材１２０にわたって延在する長さを有し、反対側の側部２１に取り付けられる。
【００２２】
壁２７は、捕獲された水分の漏出を防ぐために、端部２５、２６のうちの片方又は両方に位置付けされ得る。壁２７は、底部２２から上方に、且つ側部２１間で延在する。
【００２３】
図４で示すように、ダイバータ３０は、排出口２４でトレイ２０に連結されている。トレイ２０によって回収された水分は、排出口２４を通って移動し、ダイバータ３０内に入る。ダイバータ３０は、排出口２４における第１の端部３１、及び第２の端部３２を含む。端部３１、３２間で測定されたダイバータ３０の長さは、用途に応じて変動し得る。図４は、ダイバータ３０を含む。このダイバータ３０は、水分１３０を含有し且つ水分１３０を構造部材１２０から離すよう遠隔位置に搬送するように寸法形成された密封内部を有するチューブ３９である。図６は、ダイバータ３０が水分を含有するトラフ３８である別の装置１０を示す。図７は、開放上面３３を有するダイバータ３０を含む。ダイバータ３０は、ビークル１００の内部を通して必要に応じて位置付けされるように、可撓性であり得る。代替的に、ダイバータ３０は、剛性の固定形状を含み得る。
【００２４】
ダイバータ３０は、様々な異なる態様でトレイ２０に連結され得る。ダイバータ３０及びトレイ２０は、一体的に形成された単体構造を有し得、単一成形品のような単一片であり得る。連結は、機械的係合も含み得る。再度図４を参照すると、トレイ２０は、排出口２４において底部２２から外側に延在する突出部２９も含む。チューブ３９は、突出部２９の上に嵌まるか、又はその内部に嵌まるように寸法形成されており、ダイバータ３０をトレイ２０に連結する。ダイバータ３０とトレイ２０とをさらに連結するために接着剤及び／又は機械的ファスナを使用してもよい。
【００２５】
図６は、底部２２と側部２１との交点に排出口２４を有するトレイ２０を含む。ダイバータ３０の第１の端部３１は、排出口２４においてトレイ２０の外部に適合するよう成形且つ寸法形成されている。ダイバータ３０は、長手方向軸５１を含む。図６に示す一態様では、ダイバータ３０の長手方向軸５１は、トレイ２０の長手方向軸５０に対して実質的に垂直である。
【００２６】
トレイ２０は、構造部材１２０にスナップ嵌合するように可撓性である。ダイバータ３０は、可撓性であってもよく、又は、剛性であってよい。トレイ２０及びダイバータ３０は、同じ又は異なる材料から、同じ又は異なる技法を用いて製作され得る。実施例には、繊維ガラスハンドレイアップ、真空形成されたポリカーボネート（又は他のプラスチック）、ブロー成形、射出成形、及び３Ｄプリンティングが含まれるが、これらに限定されるものではない。一態様は、可撓性トレイ２０及びダイバータ３０が、それぞれ、非吸収材料から製作されていることを含む。材料は、独立気泡フォーム（ｃｌｏｓｅ−ｃｅｌｌ  ｆｏａｍ）及びプラスチックを含み得るが、これに限定されるものではない。
【００２７】
トレイ２０の可撓性は、図８Ａ及び図８Ｂに示されている。図８Ａに示すように、トレイ２０は、側部２１がトレイ２０の真ん中を延在する平面Ｐから外側に付勢され得るように可撓性である。これにより、トレイ２０の開口５９の幅５２が広がる。側部２１に加えられた力Ｆは、側部２１を平面Ｐから外側に曲げる。図８Ｂに示すように力Ｆが取り除かれると、側部２１が平面Ｐに向かって内側に跳ね返り、結果として側部２１間で測定される開口５９の幅５２が狭くなる。側部２１が加えた反発力によって、トレイ２０が構造部材１２０に取り付けられる。側部２１によって構造部材１２０に加えられた反発力だけでも、取り付けを維持するのに適切であり得、又は、取り付けのために１つ又は複数のコネクタ２８をさらに用いることができる。トレイ２０に力が作用していないとき、側部２１は互いに対して実質的に平行であり得る。トレイ２０に力が作用していないとき、側部２１は、外側に角度付けされてもよく、又は、内側に角度付けされてよい。
【００２８】
図９Ａは、曲がっていない配向のトレイ２０を示す。開口端部５９の幅５２が底部２２における幅５３より狭くなるように、側部２１は内側に角度付けられている。図９Ｂは、力Ｆによって外側に曲がり、構造部材１２０の周りで延在するトレイ２０の側部２１を示す。この曲がった配向では、開口５９の幅５２は、構造部材１２０の幅１２３より広い。これにより、トレイ２０を構造部材１２０の周りに置くことができる。図９Ｃに示すように、力Ｆがトレイ２０から取り除かれると、側部２１は内側に戻る。曲がっていない配向の開口５９の幅５２が構造部材１２０の幅１２３より狭いので、側部２１が構造部材１２０の側部１２１に接触する。この大きさの違いにより、装置１０が構造部材１２０から落下することが防止される。図９Ｃは、トレイ２０の側部２１が構造部材１２０の側部１２１に対して接触している状態での大きさのトレイ２０を含む。トレイ２０は、他の大きさを含み得る。例えば、図１０では、側部２１が構造部材１２０の側部１２１から離間されている状態で、トレイ２０が構造部材１２０に固定されている。側部２１が構造部材１２０に圧縮力を加えている間、底部２２が構造部材１２０から離間されている状態でトレイ２０を取り付けることができる。
【００２９】
装置１０は、ビークル１００の様々な位置に位置付けすることができる。図１０は、絶縁層１１３の外周側（すなわち、ビークル１００の絶縁層１１３と外壁１１０との間）に位置付けされた装置１０を含む。装置１０は、側部２１が構造部材１２０の両側にある状態で取り付けられる。これは、トレイ２０の側部２１が構造部材１２０の側部１２１に対して接触するか、又は、トレイ２０の側部２１が構造部材１２０の側部１２１から離間されることを含み得る。側部２１間で延在する底部２２は、構造部材１２０の下方に位置付けされる。装置１０を取り付けるために、側部２１は、構造部材１２０に対して内向き圧縮力を加える。構造部材１２０からの水分１３０は、装置１０によって捕獲される。領域内の他の水分１３０（絶縁層１１３の表面上の水分、外壁１１０上の水分、及び他の構成要素上の水分等）もトレイ２０の中で捕獲され得る。ダイバータ３０は、トレイ２０の排出口２４に取り付けられ、水分１３０を受け入れる。水分１３０は、ダイバータ３０を通り、構造部材１２０から離れて遠隔位置へ移動する。
【００３０】
図１１は、絶縁層１１３の内周側に位置付けされた装置１０を示す。装置１０は、構造部材１２０及び絶縁層１１３の周りで延在するように寸法形成される。装置２１は、構造部材１２０及び絶縁層１１３の両側にある。側部２１は、内向き圧縮力を加えて、絶縁層１１３及び構造部材１２０への取り付けを維持する。構造部材１２０及び絶縁層１１３から水分１３０が回収されて、絶縁層１１３を通って、トレイ２０に移動する。水分１３０は、絶縁層１１３内の重なり合う部分又は継ぎ目を通してトレイ２０内に移動することができ、又は、絶縁層１１３は、１つ又は複数の開口１３３を含むことにより、水分１３０をトレイ２０内に移動させることを可能にし得る。ダイバータ３０は、水分１３０をトレイ２０から受け取り、水分１３０を遠隔位置に方向付ける。
【００３１】
図１２は、装置１０を使用して構造部材１２０から水分１３０を捕獲する方法を含む。これは、両側の側部２１を離すことにより、トレイ２０を広げることを含む（ブロック９０）。この側部２１の必要な分離は、構造部材１２０の大きさに依存し、且つ、絶縁層１１３の大きさにも依存し得る。広げられている間、トレイ２０は、側部２１が両側に位置付けされ、底部２２が構造部材１２０の底部に沿って位置付けされた状態で、構造部材１２０の上に位置付けされる（ブロック９１）。これは、図１１に示すように、側部及び底部が絶縁層１１３の上に位置付けされることをも含み得る。一旦位置付けされると、側部２１が解放されて、そして側部２１を通して圧縮力が構造部材１２０に加えられ、トレイ２０が構造部材１２０に固定される（ブロック９２）。一旦位置に落ち着くと、トレイ２０は、構造部材１２０から水分１３０を捕獲する。この水分１３０は、トレイ２０における排出口２４へと移動し、ダイバータ３０内に入る。ダイバータ３０内で、水分１３０は構造部材１２０から離れるように方向付けられる。
【００３２】
装置１０は、様々なビークル１００で使用され得る。ビークル１００は、限定するものではないが、有人航空機、無人航空機、有人宇宙船、無人宇宙船、有人回転翼航空機、無人回転翼航空機、衛星、ロケット、ミサイル、有人水上輸送ビークル、無人水上輸送ビークル、有人水面下輸送ビークル、無人水面下輸送ビークル、及びこれらの組み合わせを含む。
【００３３】
さらに、本開示は、以下の条項による実施形態を含む。
【００３４】
条項１
構造部材から水分を捕獲するための装置であって、
前記構造部材の外部にスナップ嵌合し、前記構造部材から前記水分を回収するように構成された可撓性トレイ、及び
前記可撓性トレイに連結され、且つ前記可撓性トレイによって回収した前記水分を前記構造部材から離れるようにその流れを変えるよう構成されたダイバータ
を備えている装置。
【００３５】
条項２
前記可撓性トレイ及び前記ダイバータが、一体的に形成された単体構造を含む、条項１に記載の装置。
【００３６】
条項３
前記可撓性トレイ及び前記ダイバータが、それぞれ、長手方向軸を含み、前記可撓性トレイの前記長手方向軸が、前記ダイバータの前記長手方向軸に対して実質的に垂直である、条項１に記載の装置。
【００３７】
条項４
前記可撓性トレイ及び前記ダイバータが、それぞれ、非吸収材料から製作されている、条項１に記載の装置。
【００３８】
条項５
前記可撓性トレイが、前記構造部材の両側に沿って延在する側部、及び前記側部間で延在し且つ前記構造部材の下方に捕獲領域を形成する底部を備えている、条項１に記載の装置。
【００３９】
条項６
前記可撓性トレイの開口の幅が、前記可撓性トレイの前記底部の幅より小さい状態で、前記可撓性トレイの前記側部が内側に角度付けられている、条項５に記載の装置。
【００４０】
条項７
前記可撓性トレイの前記底部における排出口をさらに備え、前記排出口において前記ダイバータが前記可撓性トレイに連結されている、条項５に記載の装置。
【００４１】
条項８
前記ダイバータが、前記可撓性トレイの排出口に取り付けられた第１の端部と、前記可撓性トレイから離間され且つ前記可撓性トレイの垂直下方にある第２の端部とを有するチューブである、条項１に記載の装置。
【００４２】
条項９
構造部材から水分を捕獲するための方法であって、
前記可撓性トレイの両側の側部を離すことにより、可撓性トレイを広げることと、
前記可撓性トレイが広げられている間、前記可撓性トレイの前記側部が前記構造部材の両側にあり、前記可撓性トレイの底部が前記構造部材の前記底部に沿う状態で、前記可撓性トレイを前記構造部材の上に位置付けすることと、
前記側部を解放して、前記側部を通して圧縮力を前記構造部材に対して加え、前記可撓性トレイを前記構造部材上に固定することと
を含む方法。
【００４３】
条項１０
前記可撓性トレイから離れ且つ前記可撓性トレイの前記底部の垂直下にあるように、ダイバータの端部を位置付けることをさらに含み、前記ダイバータが、前記可撓性トレイに取り付けられる、条項９に記載の方法。
【００４４】
条項１１
前記可撓性トレイを前記構造部材に固定し、前記可撓性トレイの前記底部における排出口を前記底部の残部の垂直下に位置付けすることをさらに含む、条項９に記載の方法。
【００４５】
条項１２
前記可撓性トレイを広げることが、外向きの力を前記可撓性トレイの前記両側の側部に加えて、前記可撓性トレイの開口の幅を広げることを含む、条項９に記載の方法。
【００４６】
条項１３
前記可撓性トレイの前記両側の側部を前記構造部材に対して直接接触させることをさらに含む、条項９に記載の方法。
【００４７】
条項１４
前記可撓性トレイの前記両側の側部を前記構造部材における絶縁層に対して接触させ、前記可撓性トレイの前記両側の側部を前記構造部材から離間させることをさらに含む、条項９に記載の方法。
【００４８】
条項１５
前記側部が前記圧縮力を前記構造部材に対して加えている間に、前記可撓性トレイの前記底部を前記構造部材から離間させることをさらに含む、条項９に記載の方法。
【００４９】
条項１６
前記可撓性トレイの前記底部において前記水分を前記構造部材から回収することと、
前記水分を前記可撓性トレイの前記底部から前記可撓性トレイに取り付けられたダイバータに移すことと、
前記ダイバータに沿って、且つ前記可撓性トレイから離れるように前記水分を移動させることと
をさらに含む、条項９に記載の方法。
【００５０】
条項１７
前記可撓性トレイの両側の側部を離すことにより、前記可撓性トレイを広げることと、
前記可撓性トレイを前記構造部材から取り除くことと
を含む、条項９に記載の方法。
【００５１】
条項１８
ビークルであって、
両側の側部、及び前記側部間で延在する底部を含む構造部材、並びに
前記構造部材から水分を捕獲するための水分捕獲装置であって、
前記構造部材にスナップ嵌合し、前記構造部材から前記水分を回収するように構成された可撓性トレイと、
前記可撓性トレイに連結され、且つ前記可撓性トレイによって回収した前記水分を前記構造部材から離れるようにその流れを変えるよう構成されたダイバータとを備えた水分捕獲装置
を備えているビークル。
【００５２】
条項１９
前記構造部材の周りで延在する絶縁層であって、前記構造部材と前記水分捕獲装置との間に位置付けされた絶縁層をさらに備えている、条項１８に記載のビークル。
【００５３】
条項２０
前記ビークルが、航空機、宇宙船、回転翼航空機、衛星、ロケット、ミサイル、地上ビークル、水上輸送ビークル、及び水面下輸送ビークルから実質的になる群から選択される、条項１８に記載のビークル。
【００５４】
本開示は、本開示の本質的な特徴から逸脱しない限り、本明細書に具体的に提示された方法よりも他の方法で実施することが可能である。本明細書の態様は、あらゆる点で、例示的且つ非限定的であるとみなすべきであり、特許請求の範囲の意味及び均等性の範囲内に入るすべての変更は、特許請求の範囲に包含されることが意図されている。
【図１】
2019108115.tif 000003
【図２】
2019108115.tif 000004
【図３】
2019108115.tif 000005
【図４】
2019108115.tif 000006
【図５】
2019108115.tif 000007
【図６】
2019108115.tif 000008
【図７】
2019108115.tif 000009
【図８Ａ】
2019108115.tif 000010
【図８Ｂ】
2019108115.tif 000011
【図９Ａ】
2019108115.tif 000012
【図９Ｂ】
2019108115.tif 000013
【図９Ｃ】
2019108115.tif 000014
【図１０】
2019108115.tif 000015
【図１１】
2019108115.tif 000016
【図１２】
2019108115.tif 000017
【外国語明細書】
2019108115000001.pdf
2019108115000002.pdf
2019108115000003.pdf
2019108115000004.pdf